(57)【要約】【課題】自動化設備を介してＩＣ付きキャッシュカードを発行し、又は古いＩＣ付きキャッシュカードの再発行に用いられ、これにより例えばカード所持者の有する磁気キャッシュカードをＩＣ付きキャッシュカードに再発行し、又はＩＣ付きキャッシュカードをＩＣ付きキャッシュカードに再発行するスマート・カードの発行業務の方法を提供すること。【解決手段】自動化サービス設備１２がカード所持者１１の関連情報と暗証番号を読み取るステップ２１と、自動化サービス設備１１が金融機構１４とオンラインで結ばれるステップ２２と、金融機構１４によりカード所持者１１の関連情報及び暗証番号が正確か否かを判断するステップ２３と、もしカード所持者１１の関連情報及び暗証番号が正確であれば、金融機構１４はスマート・カードのカード・プリンタ・データを提供するステップ２４と、金融機構１４が自動化サービスを通してスマート・カードを発行するステップ２５と、を備えている。【選択図】図１
2006155127.tif 000002
【特許請求の範囲】
【請求項１】
金融機関とオンラインする自動化サービス設備によりスマート・カードを発行する方法であって、
（ａ）前記自動化サービス設備がカード所持者の関連情報と該カード所持者により入力された暗証番号とを読み取るステップと、
（ｂ）前記自動化サービス設備が前記金融機関とオンラインで結ばれるステップと、
（ｃ）前記金融機関により前記カード所持者の関連情報及び前記暗証番号が正確か否かを判断するステップと、
（ｄ）もし前記カード所持者の関連情報及び前記暗証番号が正確であれば、前記金融機関は該スマート・カードのカード・データを提供するステップと、
（ｅ）前記金融機関が前記自動化サービスを通して前記スマート・カードを発行するステップと、
を備えていることを特徴とする自動式スマート・カードの発行業務の方法。
【請求項２】
前記スマート・カードは、ＩＣ付きキャッシュカード又はＩＣ付きクレジットカードであることを特徴とする請求項１記載の方法。
【請求項３】
前記自動化サービス設備は、パーソナル・コンピュータと、表示器と、キーボードと、カード・プリンタ、読取設備とを備えていることを特徴とする請求項１記載の方法。
【請求項４】
前記カード所持者が古いカードを再発行するとき、前記自動化サービス設備により読み取られた前記関連情報は該古いカード内の情報であることを特徴とする請求項１記載の方法。
【請求項５】
前記カード所持者が新しいカードを申し込むとき、前記自動化サービス設備により読み取られた前記関連情報は該カード所持者により入力された情報であることを特徴とする請求項１記載の方法。
【請求項６】
前記自動化サービス設備は、データ機又はローカル・エリア・ネットワークを通して前記金融機関とオンラインで結ばれることを特徴とする請求項１記載の方法。
【請求項７】
前記金融機関は、前記カード所持者の口座データにより該カード・データを準備することを特徴とする請求項１記載の方法。
【発明の詳細な説明】
【技術分野】
【０００１】
本発明は、インテリジェンスカード発行業務の方法に関し、特に、カード所持者自らが自動化サービス設備を操作して自動的にインテリジェンスカードが発行される自助式及び自動式のカード発行業務の方法に関する。
【背景技術】
【０００２】
一般に、金融上使用されているスマート・カードは、ＩＣ（集積回路）チップを搭載したカードのことで、ＩＣカードとも呼ばれている。例えばＩＣ付きキャッシュカード（チップ金融カード）、又はＩＣ付きクレジットカード（チップ信用カード）がある。キャッシュカード及びクレジットカード等のプラスチックカードのスマート・カード化は、偽装カード集団の猖獗によるカード所持者及び金融機関の莫大な損失に対応するために、カード発行機関及び管理組織が普及させてきたもので地球規模、全世界的に認められている。
【０００３】
これらのＩＣカードを新しく申し込んで受け取る場合、又は古いカードを新しいカードにする再発行を申し込んで受け取る場合、発行機関又は金融機関の本部において集中的に受付け、カードをプリントしてカード所持者に直接送付している（集中式）。又は、発行機関又は金融機関の支店において手続をする場合は、支店のサーバがカード・プリント・データを受け取ってカード・プリントしてカード所持者に直接渡している（窓口式）。
【発明の開示】
【発明が解決しようとする課題】
【０００４】
しかしながら、この従来の方法によれば、必ず金融機関の行員により、サーバ上の関連するプログラムを作動させて再発行するカードの作業を完成しなければならない。例えば、必ずカード所持者の身分証明書を識別し、間違った対象にカードを発行しないように確認しなければならない。また、金融機関は、カード所持者の個人情報を他人に盗み取られないようにその個人情報を機密に保護しなければならない。また、金融機関のシステム作業者及びデータ管理者は、カード・プリンタシステムとカードプリンター設備の正常運転を確保するように、操作しなければならない。
【０００５】
したがって、従来の方法においては、集中式又は窓口式のいずれの場合も金融機関にカード所持者のサービスに介入するサーバがあるが、いずれの方式であっても行員による作業が必要となるので以下の問題が生じていた。
１．人員コストが非常に高くなる。例えばサーバ上の機密情報の漏洩を防止するための人員、システム作業者及びデータ管理者等にいやがうえにもコストが高くかかる。
２．介入する人員が多ければ多いほど、機密情報が漏れる確率が高くなる。例えばカード所持者の個人情報等の金融機関の機密情報が漏れる確率が高くなる。
この外に、金融機関が大量に現在流通している磁気カードをスマート・カードに切り替え発行する場合、その磁気カード所持者は我慢して冗長な作業人員の作業を待たなければならず、カード所持者の莫大な不便をもたらす。
【０００６】
そこで、上記問題に対して、カード所持者自らが自動化サービス設備を操作して自動的にインテリジェンスカードが発行される方法を提供して、金融機関の人員コストを低下し、金融機関の使用安全性を改善するかは、ずっと発明者の研究設計の目的であり、発明者の鋭意研究の結果ついに本発明の「自動式スマート・カード発行業務の方法」を発明した。
【０００７】
本発明の主たる目的は、自動化設備を介してＩＣ付きキャッシュカードを発行し、又は古いＩＣ付きキャッシュカードの再発行に用いられ、これにより例えばカード所持者の有する磁気キャッシュカードをＩＣ付きキャッシュカードに再発行し、又はＩＣ付きキャッシュカードをＩＣ付きキャッシュカードに再発行するスマート・カードの発行業務の方法を提供することにある。
【０００８】
本発明の他の目的は、自動化設備を介してＩＣ付きキャッシュカードを発行し、そして新しいＩＣ付きキャッシュカードの受取りに用いられ、カード所持者がＩＣ付きキャッシュカードを即時にその場で受け取ることができるスマート・カードの発行業務の方法を提供することにある。
【０００９】
本発明の更に他の目的は、自動化設備を介してＩＣ付きクレジットカードを発行し、そして新しいＩＣ付きクレジットカードの受取りに用いられ、カード所持者がＩＣ付きクレジットカードを即時にその場で受け取ることができるスマート・カード発行の業務方法を提供することにある。
【００１０】
本発明の又更に他の目的は、自動化設備を介していろいろな種類のスマート・カードを発行し、暗証番号で個人を識別する方式を提供してカード、カード所持者の個人情報の盗みとりを防止することができるスマート・カード発行業務の方法を提供することにある。
【００１１】
本発明の又更に他の目的は、自動化設備を介してＩＣ付きクレジットカードを発行し、そしてＩＣ付きクレジットカードの古いＩＣの再発行に用いられ、カード所持者の磁気クレジットカードをＩＣ付きクレジットカードへの切替を即時にその場で再発行し、又はＩＣ付きクレジットカードをＩＣ付きクレジットカードへ即時にその場で再発行するスマート・カードの発行業務の方法を提供することにある。
【課題を解決するための手段】
【００１２】
上記目的を達成するために本発明により提供された自助式及び自動式のスマート・カード発行業務の方法は金融機関とオンラインする自動化サービス設備によりスマート・カードを発行する方法であって、
（ａ）前記自動化サービス設備がカード所持者の関連情報と該カード所持者により入力された暗証番号とを読み取るステップと、
（ｂ）前記自動化サービス設備が前記金融機関とオンラインで結ばれるステップと、
（ｃ）前記金融機関により前記カード所持者の前記関連情報及び前記暗証番号が正確か否かを判断するステップと、
（ｄ）もしカード所持者の前記関連情報及び前記暗証番号が正確であれば（これらが正確であるとき）、前記金融機関は前記スマート・カードのカード・プリンタ・データを提供するステップと、
（ｅ）前記金融機関が前記自動化サービスを通して前記スマート・カードを発行するステップと、を備えているところに特徴を有する。
【００１３】
上記目的を達成するために、本発明に提供されたスマート・カードの発行業務の方法において、前記スマート・カードは、ＩＣ付きキャッシュカード又はＩＣ付きクレジットカードであるところに特徴を有する。
【００１４】
また、上記方法において、前記自動化サービス設備は、パーソナル・コンピュータと、表示器と、キーボードと、カード・プリンタ、読取設備とを備えているところに特徴を有する。
【００１５】
また、上記方法において、前記カード所持者に古いカードを新たなスマート・カードに再発行するとき、前記自動化サービス設備により読み取られた前記関連情報は該古いカード内の情報であるところに特徴を有する。
【００１６】
また、上記方法において、前記カード所持者が新しいカードを申し込むとき、前記自動化サービス設備により読み取られた前記関連情報は該カード所持者により入力された情報であるところに特徴を有する。
【００１７】
また、上記方法において、前記自動化サービス設備はデータ機又はローカル・エリア・ネットワーク（ＬＡＮ）を通して前記金融機関とオンラインで結ばれているところに特徴を有する。
【００１８】
また、上記方法において、前記金融機関は前記カード所持者の口座データにより前記カード・プリンタ・データを準備するところに特徴を有する。
【発明を実施するための最良の形態】
【００１９】
キャッシュカード及びクレジットカード等のプラスチック通貨のチップ化は、カード発行機関及び管理組織が偽装カード集団の猖獗によるカード所持者及び金融機関の莫大な損失に対応するために、全力を挙げて普及させてきた地球規模、全世界的に認められた商売のための道具（カード）であり、地球規模、全世界的に普及している。各カードの発行機関及び管理組織もチップ化の期限を制定しているが、このようないろいろなカード（多種のカード）のすべての再発行はカード所持者及び金融機関に莫大な不便をもたらしている。キャッシュカードの再発行のために、カード所持者は銀行口座を開設した支店に足を運び古いカードを返して新しいカードを申請しようとするが、すぐにカードをもらえず、数日待ってから、再びその支店に足を運び古いカードを返してＩＣ付きキャッシュカードをもらっていた。そして、金融機関は多くのＩＣ付きキャッシュカードの再発行に応ずるために、人員及び設備を増加してこのすべての再発行に応じなければならない。また、クレジットカードの再発行においては、このチップ化の再発行の他に、クレジットカードの有効期限を過ぎた再発行作業は、なおさら金融機関の人員及び設備の大量な投入を来す上、クレジットカードのほとんどが郵便で送らなければならない。
【００２０】
本発明の方法は、金融機関における無人化サービス区域内の自動化サービス設備（例えばキャッシュ・ディスペンサー、ログイン・ツール）の作業方式から派生された作業方式である。一般的に自動化サービスの顧客に対する利便性は一日２４時間のサービスを提供することにより、顧客が自分で設備を操作して金融機関のサービスを得て、金融機関の営業時間帯を待つ必要がない利点がある。このような設備を金融機関に導入する利便性は無人化サービス環境を提供して、金融機関の人員の投入を低下することができるところにある。また、現在もっている金融機関の自動化サービス設備を利用して、カード所持者が自分で自ら自助的に端末を操作して新しいカードを受取らせ、又は古いカードを新しいカードに再発行させるサービスを提供することにより、カード所持者及び金融機関にもたらされていた莫大な不便を解消することができる。しかも、これにより金融機関の業務効率を向上させることができさらいに、人員コストを節約することができる。
【００２１】
図１は、本発明の好適な実施例の実施見取り図である。この図に示すように、カード所持者１１が自動化サービス設備１２において、スマート・カードの再発行を申し込むと、自動化サービス設備１２はネットワーク１３を介して金融機関１４にオン・ラインにつながる。そして、そのオンライン状態の両者間でやりとりされる情報伝達はいずれもファイル・ロック方式を使用して情報が漏れることを防止し、安全であり、その間を保護する安全性がある。
【００２２】
自動化サービス設備１２は少なくともパーソナル・コンピュータ１２１、表示器１２２、キーボード（ＰＩＮ  ＰＡＤ）１２３，カード・プリンタ、読取設備１２４を備えている。自動化サービス設備１２は、表示器１２２及びキーボード１２３を介してカード所持者１１に関連する操作ステップを導引し、かつ、カード所持者１１の個人情報及び暗証番号の入力を可能とし、その個人情報及び暗証番号を識別する。又はカード・プリンタ、読取設備１２４により古いカード内のカード所持者１１の個人情報を直接読み取り、再びカード所持者１１の暗証番号を入力すると共に、ネットワーク１３（例えばデータ・メカニズム又は区域ネットワーク）を通して金融機関１４とオンラインでつながる。そして金融機関１４にオンラインでつながると、金融機関１４はカード所持者１１の関連情報と対応する暗証番号が正確か否かを判断する。そして、カード所持者１１の関連情報と暗証番号との組み合わせに誤りがないとき、カード所持者１１のカード・プリンタの関連データ（カード・プリンタ・データ）を準備すると共に自動化サービス設備１２でスマート・カードを発行する。
【００２３】
本発明の自助化及び自動化スマート・カード発行業務の方法のステップ・フローは図２に示す通りである。以下、そのステップを説明する。
【００２４】
１．ステップ２１  自動化設備１２はカード所持者１１の関連情報を読取り、古いカードを再発行するとき、古いカード内の情報を読取り、又は新しくカードを申し込んだときカード所持者１１により入力されたデータを読取る。
【００２５】
２．ステップ２２  自動化サービス設備１２と金融機関１４とがオンラインでつながる。
【００２６】
３．ステップ２３  カード所持者１１の関連情報及び入力暗証番号は正確であるか否かを判断する。
【００２７】
４．ステップ２４  金融機関１４よりスマート・カードのカード・プリンタ・データを提供し、又はカード所持者１１の口座データに基づいてカード・プリンタ・データを準備する。
【００２８】
５．ステップ２５  金融機関１４にオンラインでつながれている自動化サービス設備１２がスマート・カードの発行業務をする。
【００２９】
要するに、本発明の自動化スマート・カードの発行業務の方法は、カード所持者１１に新しいカードの受取り又は古いカードの再発行のサービスを提供することばかりでなく、かつ、金融機関１４の業務効力の向上及び人員コストの節約を達成することができ、効果的に先行技術の欠点を改善したものである。したがって、産業価値を有し、ひいては本発明の目的を達成することができる。
【００３０】
なお、上記実施形態は本発明の技術的手段をより具体的に理解するために挙げたもので本発明は決してこの技術手段に限定されず、クレームの範囲を逸脱しないかぎり当業者による単純な技術変更、修飾、不可、置換はいずれも本発明の技術的範囲に属することは言うまでもない。
【図面の簡単な説明】
【００３１】
【図１】本発明の好適な実施例の実施見取り図である。
【図２】本発明の好適な実施例のステップフローである
【符号の説明】
【００３２】
１１  カード所持者
１２  自動化サービス設備
１２１  パーソナル・コンピュータ
１２２  表示器
１２３  キーボード
１２４  カード・プリンター読取設備
１３  ネットワーク
１４  金融機関
【図１】
2006155127.tif 000003
【図２】
2006155127.tif 000004
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
金融機関とオンラインする自動化サービス設備によりスマート・カードを発行する方法
であって、
（ａ）前記自動化サービス設備がカード所持者の関連情報と該カード所持者により入力
された暗証番号とを読み取るステップと、
（ｂ）前記自動化サービス設備が前記金融機関とオンラインで結ばれるステップと、
（ｃ）前記金融機関により前記カード所持者の関連情報及び前記暗証番号が正確か否か
を判断するステップと、
（ｄ）もし前記カード所持者の関連情報及び前記暗証番号が正確であれば、前記金融機
関は該スマート・カードのカード・データを提供するステップと、
（ｅ）前記金融機関が前記自動化サービス設備を通して前記スマート・カードを発行するステップと、
を備えていることを特徴とする自動式スマート・カードの発行業務の方法。
【請求項２】
前記スマート・カードは、ＩＣ付きキャッシュカード又はＩＣ付きクレジットカードで
あることを特徴とする請求項１記載の方法。
【請求項３】
前記自動化サービス設備は、パーソナル・コンピュータと、表示器と、キーボードと、
カード・プリンター読取設備とを備えていることを特徴とする請求項１記載の方法。
【請求項４】
前記カード所持者が古いカードを再発行するとき、前記自動化サービス設備により読み
取られた前記関連情報は該古いカード内の情報であることを特徴とする請求項１記載の方
法。
【請求項５】
前記カード所持者が新しいカードを申し込むとき、前記自動化サービス設備により読み
取られた前記関連情報は該カード所持者により入力された情報であることを特徴とする請
求項１記載の方法。
【請求項６】
前記自動化サービス設備は、データ機又はローカル・エリア・ネットワークを通して前
記金融機関とオンラインで結ばれることを特徴とする請求項１記載の方法。
【請求項７】
前記金融機関は、前記カード所持者の口座データにより該カード・データを準備するこ
とを特徴とする請求項１記載の方法。
【請求項８】
金融機関とオンラインすることによりスマート・カードを発行する自動化サービス設備であって、
カード所持者の関連情報及び暗証番号を入力するキーボードと、
前記関連情報を表示して、前記カード所持者が確認を進行するのに供する表示器と、
前記関連情報及び前記暗証番号を処理すると共に、前記関連情報及び前記暗証番号を前記金融機関に伝送するパーソナル・コンピュータと、
前記カード所持者の前記関連情報を読取ると共に、前記金融機関において前記関連情報及び前記暗証番号が正確であると判定した後、前記金融機関により提供された前記スマート・カードのカード・プリンタ・データに基づいて、前記スマート・カードを発行するカード・プリンター読取設備と、を備えてなる自動化サービス設備。
【請求項９】
前記自動化サービス設備はデータ機又はローカル・エリア・ネットワークを通して前記金融機関とオンラインで結ばれることを特徴とする請求項８記載の自動化サービス設備。
【請求項１０】
前記スマート・カードはＩＣ付きキャッシュカード又はＩＣ付きクレジットカードであることを特徴とする請求項８記載の自動化サービス設備。
【請求項１１】
前記カード所持者が古いカードを再発行したいとき、前記関連情報は前記古いカード内の情報であることを特徴とする請求項８記載の自動化サービス設備。
【請求項１２】
前記カード所持者が新しいカードを申請したいとき、前記関連情報は前記カード所持者により入力された情報であることを特徴とする請求項８記載の自動化サービス設備。
【請求項１３】
前記金融機関は、前記カード所持者の口座データにより前記カード・プリンタ・データを準備することを特徴とする請求項８記載の自動化サービス設備。
【手続補正２】
【補正対象書類名】明細書
【補正対象項目名】全文
【補正方法】変更
【補正の内容】
【発明の詳細な説明】
【技術分野】
【０００１】
本発明は、インテリジェンスカード発行業務の方法及び装置に関し、特に、カード所持者自らが自動化サービス設備を操作して自動的にインテリジェンスカードが発行される自助式及び自動式のカード発行業務の方法及び装置に関する。
【背景技術】
【０００２】
一般に、金融上使用されているスマート・カードは、ＩＣ（集積回路）チップを搭載したカードのことで、ＩＣカードとも呼ばれている。例えばＩＣ付きキャッシュカード（チップ金融カード）、又はＩＣ付きクレジットカード（チップ信用カード）がある。キャッシュカード及びクレジットカード等のプラスチックカードのスマート・カード化は、偽装カード集団の猖獗によるカード所持者及び金融機関の莫大な損失に対応するために、カード発行機関及び管理組織が普及させてきたもので地球規模、全世界的に認められている。  
【０００３】
これらのＩＣカードを新しく申し込んで受け取る場合、又は古いカードを新しいカードにする再発行を申し込んで受け取る場合、発行機関又は金融機関の本部において集中的に受付け、カードをプリントしてカード所持者に直接送付している（集中式）。又は、発行機関又は金融機関の支店において手続をする場合は、支店のサーバがカード・プリント・データを受け取ってカード・プリントしてカード所持者に直接渡している（窓口式）。
【発明の開示】
【発明が解決しようとする課題】
【０００４】
しかしながら、この従来の方法によれば、必ず金融機関の行員により、サーバ上の関連するプログラムを作動させて再発行するカードの作業を完成しなければならない。例えば、必ずカード所持者の身分証明書を識別し、間違った対象にカードを発行しないように確認しなければならない。また、金融機関は、カード所持者の個人情報を他人に盗み取られないようにその個人情報を機密に保護しなければならない。また、金融機関のシステム作業者及びデータ管理者は、カード・プリンタシステムとカードプリンター設備の正常運転を確保するように、操作しなければならない。
【０００５】
したがって、従来の方法においては、集中式又は窓口式のいずれの場合も金融機関にカード所持者のサービスに介入するサーバがあるが、いずれの方式であっても行員による作業が必要となるので以下の問題が生じていた。
１．人員コストが非常に高くなる。例えばサーバ上の機密情報の漏洩を防止するための人員、システム作業者及びデータ管理者等にいやがうえにもコストが高くかかる。
２．介入する人員が多ければ多いほど、機密情報が漏れる確率が高くなる。例えばカード所持者の個人情報等の金融機関の機密情報が漏れる確率が高くなる。
この外に、金融機関が大量に現在流通している磁気カードをスマート・カードに切り替え発行する場合、その磁気カード所持者は我慢して冗長な作業人員の作業を待たなければならず、カード所持者の莫大な不便をもたらす。
【０００６】
そこで、上記問題に対して、カード所持者自らが自動化サービス設備を操作して自動的にインテリジェンスカードが発行される方法を提供して、金融機関の人員コストを低下し、金融機関の使用安全性を改善するかは、ずっと発明者の研究設計の目的であり、発明者の鋭意研究の結果ついに本発明の「自動式スマート・カード発行業務の方法及び装置」を発明した。
【０００７】
本発明の主たる目的は、自動化設備を介してＩＣ付きキャッシュカードを発行し、又は古いＩＣ付きキャッシュカードの再発行に用いられ、これにより例えばカード所持者の有する磁気キャッシュカードをＩＣ付きキャッシュカードに再発行し、又はＩＣ付きキャッシュカードをＩＣ付きキャッシュカードに再発行するスマート・カードの発行業務の方法及び装置を提供することにある。
【０００８】
本発明の他の目的は、自動化設備を介してＩＣ付きキャッシュカードを発行し、そして新しいＩＣ付きキャッシュカードの受取りに用いられ、カード所持者がＩＣ付きキャッシュカードを即時にその場で受け取ることができるスマート・カードの発行業務の方法及び装置を提供することにある。
【０００９】
本発明の更に他の目的は、自動化設備を介してＩＣ付きクレジットカードを発行し、そして新しいＩＣ付きクレジットカードの受取りに用いられ、カード所持者がＩＣ付きクレジットカードを即時にその場で受け取ることができるスマート・カード発行の業務方法及び装置を提供することにある。
【００１０】
本発明の又更に他の目的は、自動化設備を介していろいろな種類のスマート・カードを発行し、暗証番号で個人を識別する方式を提供してカード、カード所持者の個人情報の盗みとりを防止することができるスマート・カード発行業務の方法及び装置を提供することにある。  
【００１１】
本発明の又更に他の目的は、自動化設備を介してＩＣ付きクレジットカードを発行し、そしてＩＣ付きクレジットカードの古いＩＣの再発行に用いられ、カード所持者の磁気クレジットカードをＩＣ付きクレジットカードへの切替を即時にその場で再発行し、又はＩＣ付きクレジットカードをＩＣ付きクレジットカードへ即時にその場で再発行するスマート・カードの発行業務の方法及び装置を提供することにある。
【課題を解決するための手段】
【００１２】
上記目的を達成するために本発明により提供された自助式及び自動式のスマート・カード発行業務の方法は金融機関とオンラインする自動化サービス設備によりスマート・カードを発行する方法であって、
（ａ）前記自動化サービス設備がカード所持者の関連情報と該カード所持者により入力された暗証番号とを読み取るステップと、
（ｂ）前記自動化サービス設備が前記金融機関とオンラインで結ばれるステップと、
（ｃ）前記金融機関により前記カード所持者の前記関連情報及び前記暗証番号が正確か否かを判断するステップと、
（ｄ）もしカード所持者の前記関連情報及び前記暗証番号が正確であれば（これらが正確であるとき）、前記金融機関は前記スマート・カードのカード・プリンタ・データを提供するステップと、
（ｅ）前記金融機関が前記自動化サービス設備を通して前記スマート・カードを発行するステップと、を備えているところに特徴を有する。
【００１３】
上記目的を達成するために、本発明に提供されたスマート・カードの発行業務の方法において、前記スマート・カードは、ＩＣ付きキャッシュカード又はＩＣ付きクレジットカードであるところに特徴を有する。
【００１４】
また、上記方法において、前記自動化サービス設備は、パーソナル・コンピュータと、表示器と、キーボードと、カード・プリンター読取設備とを備えているところに特徴を有する。
【００１５】
また、上記方法において、前記カード所持者に古いカードを新たなスマート・カードに再発行するとき、前記自動化サービス設備により読み取られた前記関連情報は該古いカード内の情報であるところに特徴を有する。
【００１６】
また、上記方法において、前記カード所持者が新しいカードを申し込むとき、前記自動化サービス設備により読み取られた前記関連情報は該カード所持者により入力された情報であるところに特徴を有する。
【００１７】
また、上記方法において、前記自動化サービス設備はデータ機又はローカル・エリア・ネットワーク（ＬＡＮ）を通して前記金融機関とオンラインで結ばれているところに特徴を有する。
【００１８】
また、上記方法において、前記金融機関は前記カード所持者の口座データにより前記カード・プリンタ・データを準備するところに特徴を有する。
【００１９】
また更に本発明により提供された自動化サービス設備は、金融機関とオンラインすることによりスマート・カードを発行する自動化サービス設備であって、カード所持者の関連情報及び暗証番号を入力するキーボードと、該関連情報を表示して、該カード所持者が確認を進行するのに供する表示器と、該関連情報及び該暗証番号を処理すると共に、該関連情報及び該暗証番号を該金融機関に伝送するパーソナル・コンピュータと、該カード所持者の該関連情報を読取ると共に、該金融機関において該関連情報及び該暗証番号が正確であると判定した後、該金融機関により提供された該スマート・カードのカード・プリンタ・データに基づいて、該スマート・カードを発行するカード・プリンター読取設備と、を備えてなるところに特徴を有する。
【００２０】
上記自動化サービス設備において、該設備はデータ機、又はローカル・エリア・ネットワーク（ＬＡＮ）を通して該金融機関とオンラインで結ばれる（オンラインする）ところに特徴を有する。
【００２１】
また上記自動化サービス設備において、該スマート・カードはＩＣ付きキャッシュカード又はＩＣ付きクレジットカードであるところに特徴を有する。
【００２２】
また上記自動化サービス設備において、該カード所持者が古いカードを再発行したいとき、該関連情報は該古いカード内の情報であるところに特徴を有する。
【００２３】
また上記自動化サービス設備において、該カード所持者が新しいカードを申請したいとき、該関連情報は該カード所持者により入力された情報であるところに特徴を有する。
【００２４】
また上記自動化サービス設備において、該金融機関は該カード所持者の口座データにより該カード・プリンタ・データを準備するところに特徴を有する。
【発明を実施するための最良の形態】
【００２５】
キャッシュカード及びクレジットカード等のプラスチック通貨のチップ化は、カード発行機関及び管理組織が偽装カード集団の猖獗によるカード所持者及び金融機関の莫大な損失に対応するために、全力を挙げて普及させてきた地球規模、全世界的に認められた商売のための道具（カード）であり、地球規模、全世界的に普及している。各カードの発行機関及び管理組織もチップ化の期限を制定しているが、このようないろいろなカード（多種のカード）のすべての再発行はカード所持者及び金融機関に莫大な不便をもたらしている。キャッシュカードの再発行のために、カード所持者は銀行口座を開設した支店に足を運び古いカードを返して新しいカードを申請しようとするが、すぐにカードをもらえず、数日待ってから、再びその支店に足を運び古いカードを返してＩＣ付きキャッシュカードをもらっていた。そして、金融機関は多くのＩＣ付きキャッシュカードの再発行に応ずるために、人員及び設備を増加してこのすべての再発行に応じなければならない。また、クレジットカードの再発行においては、このチップ化の再発行の他に、クレジットカードの有効期限を過ぎた再発行作業は、なおさら金融機関の人員及び設備の大量な投入を来す上、クレジットカードのほとんどが郵便で送らなければならない。
【００２６】
本発明の方法は、金融機関における無人化サービス区域内の自動化サービス設備（例えばキャッシュ・ディスペンサー、ログイン・ツール）の作業方式から派生された作業方式である。一般的に自動化サービスの顧客に対する利便性は一日２４時間のサービスを提供することにより、顧客が自分で設備を操作して金融機関のサービスを得て、金融機関の営業時間帯を待つ必要がない利点がある。このような設備を金融機関に導入する利便性は無人化サービス環境を提供して、金融機関の人員の投入を低下することができるところにある。また、現在もっている金融機関の自動化サービス設備を利用して、カード所持者が自分で自ら自助的に端末を操作して新しいカードを受取らせ、又は古いカードを新しいカードに再発行させるサービスを提供することにより、カード所持者及び金融機関にもたらされていた莫大な不便を解消することができる。しかも、これにより金融機関の業務効率を向上させることができさらいに、人員コストを節約することができる。
【００２７】
図１は、本発明の好適な実施例の実施見取り図である。この図に示すように、カード所持者１１が自動化サービス設備１２において、スマート・カードの再発行を申し込むと、自動化サービス設備１２はネットワーク１３を介して金融機関１４にオン・ラインにつながる。そして、そのオンライン状態の両者間でやりとりされる情報伝達はいずれもファイル・ロック方式を使用して情報が漏れることを防止し、安全であり、その間を保護する安全性がある。
【００２８】
自動化サービス設備１２は少なくともパーソナル・コンピュータ１２１、表示器１２２、キーボード（ＰＩＮ  ＰＡＤ）１２３，カード・プリンター読取設備１２４を備えている。自動化サービス設備１２は、表示器１２２及びキーボード１２３を介してカード所持者１１に関連する操作ステップを導引し、かつ、カード所持者１１の個人情報及び暗証番号の入力を可能とし、その個人情報及び暗証番号を識別する。又はカード・プリンター読取設備１２４により古いカード内のカード所持者１１の個人情報を直接読み取り、再びカード所持者１１の暗証番号を入力すると共に、ネットワーク１３（例えばデータ・メカニズム又は区域ネットワーク）を通して金融機関１４とオンラインでつながる。そして金融機関１４にオンラインでつながると、金融機関１４はカード所持者１１の関連情報と対応する暗証番号が正確か否かを判断する。そして、カード所持者１１の関連情報と暗証番号との組み合わせに誤りがないとき、カード所持者１１のカード・プリンタの関連データ（カード・プリンタ・データ）を準備すると共に自動化サービス設備１２でスマート・カードを発行する。
【００２９】
本発明の自助化及び自動化スマート・カード発行業務の方法のステップ・フローは図２に示す通りである。以下、そのステップを説明する。
【００３０】
１．ステップ２１  自動化サービス設備１２はカード所持者１１の関連情報を読取り、古いカードを再発行するとき、古いカード内の情報を読取り、又は新しくカードを申し込んだときカード所持者１１により入力されたデータを読取る。
【００３１】
２．ステップ２２  自動化サービス設備１２と金融機関１４とがオンラインでつながる。
【００３２】
３．ステップ２３  カード所持者１１の関連情報及び入力暗証番号は正確であるか否かを判断する。
【００３３】
４．ステップ２４  金融機関１４よりスマート・カードのカード・プリンタ・データを提供し、又はカード所持者１１の口座データに基づいてカード・プリンタ・データを準備する。
【００３４】
５．ステップ２５  金融機関１４にオンラインでつながれている自動化サービス設備１２がスマート・カードの発行業務をする。
【００３５】
要するに、本発明の自動化スマート・カードの発行業務の方法は、カード所持者１１に新しいカードの受取り又は古いカードの再発行のサービスを提供することばかりでなく、かつ、金融機関１４の業務効力の向上及び人員コストの節約を達成することができ、効果的に先行技術の欠点を改善したものである。したがって、産業価値を有し、ひいては本発明の目的を達成することができる。
【００３６】
なお、上記実施形態は本発明の技術的手段をより具体的に理解するために挙げたもので本発明は決してこの技術手段に限定されず、クレームの範囲を逸脱しないかぎり当業者による単純な技術変更、修飾、不可、置換はいずれも本発明の技術的範囲に属することは言うまでもない。
【図面の簡単な説明】
【００３７】
【図１】本発明の好適な実施例の実施見取り図である。
【図２】本発明の好適な実施例のステップフローである
【符号の説明】
【００３８】
１１  カード所持者
１２  自動化サービス設備
１２１  パーソナル・コンピュータ
１２２  表示器
１２３  キーボード
１２４  カード・プリンター読取設備
１３  ネットワーク
１４  金融機関